(57)【要約】【課題】  経験や熟練を要することなく、間口の寸法および柱の傾きや鴨居の傾斜・撓みなどの形状を測定する装置を提供すること。【解決手段】  立設した柱21を有する架台２と、この架台２の柱21に取り付けられる寸法測定装置本体１とを具備し、この寸法測定装置本体１は、柱21に取り付けられる基台26と、この基台26に水平方向に植設された固定軸27に回動自在に設けられた回転台３と、この回転台３上に載置され、基台26に対する回転台３の回動角度を検出するロータリ・エンコーダ32と、回転台３に載置され、基台26から間口の測定点まで長さを検出するワイヤーまたはテープ38およびインクリメンタル形のリニア・エンコーダ33と、検出した角度データおよび長さデータを対応させて極座標で格納する記憶手段とを具備するものである。【選択図】    図５
2006038602.tif 000002
【特許請求の範囲】
【請求項１】
立設した柱を有する架台と、該架台の柱に取り付けられる寸法測定装置本体とを具備し、該寸法測定装置本体は、上記柱に取り付けられる基台と、該基台に水平方向に植設された軸に回動自在に設けられた回転台と、該回転台上に載置され、上記基台に対する回転台の回動角度を検出する角度検出手段と、上記回転台に載置され、上記基台から間口の測定点まで長さを検出する長さ検出手段と、検出した角度データおよび長さデータを対応させて極座標で格納する記憶手段とを具備することを特徴とする間口の寸法測定装置。
【請求項２】
基台に対する回転台の回動角度を検出する手段が、ロータリ・エンコーダであり、基台から間口の測定点まで長さを検出する手段が、測定点まで引き出されたワイヤーまたはテープなどの長さを検出するリニア・エンコーダであることを特徴とする請求項１に記載の間口の寸法測定装置。
【請求項３】
回転台に載置され、回転台の指向方向にレーザ光線を放射するレーザ光源と、ワイヤーまたはテープなどの先端に結合された先鋭な先端部を有する探触子と、該探触子に設けられた上記レーザ光線を受光したときに光線を再放射する応答手段と、上記指向方向に存在する測定すべき基準点に上記探触子の先端部を合わせたのち、上記回転台において上記応答手段より再放射されたときの角度データおよび長さデータを格納する記憶手段とを具備することを特徴とする請求項２に記載の間口の寸法測定装置。
【請求項４】
基台に対する回転台の回動角度を検出する手段が、ロータリ・エンコーダであり、基台から間口の測定点まで長さを検出する手段が、測定点までの長さを検出するレーザー距離計であることを特徴とする請求項１に記載の間口の寸法測定装置。
【請求項５】
架台の下側に設けた敷居の溝に嵌め込む間隔をあけて配置された２つの突起と、該２つの突起を結ぶ直線の直上に設けられた上向きにレーザービームを放射するレーザーポインタとを備えることを特徴とする請求項１に記載の間口の寸法測定装置。
【請求項６】
敷居の溝に嵌め込む間隔をあけて配置された２つの突起を下側に設けた架台と、該架台に立設した筒部材および該筒部材の中を摺動する棒部材とよりなる柱を備え、上記棒部材の先端に鴨居の溝に嵌め込む突起を設けたことを特徴とする請求項１に記載の間口の寸法測定装置。
【請求項７】
設置された寸法測定装置本体を中心とする間口の複数の測定点の方向および距離を極座標データとして収集する第１の工程と、
収集した上記極座標データのうち、敷居の一端に対応するデータを原点として敷居の両端を結ぶ線分に対応するデータをＸ軸上に合わせる回転によりＸ−Ｙ座標に座標変換を行う第２の工程とよりなることを特徴とする間口の寸法測定方法。
【請求項８】
Ｘ−Ｙ座標に変換された間口の形状および寸法に合わせるように、敷居／鴨居の溝数および嵌め込む襖の枚数に基づいて、各襖の下地に対する加工寸法を算出する第３の工程を具備することを特徴とする請求項７に記載の間口の寸法測定方法
【請求項９】
Ｘ−Ｙ座標に変換された間口の形状および寸法に合わせるように、敷居／鴨居の溝数および嵌め込む襖の枚数に基づいて、各種定型サイズの襖の下地の中から「裁断しろ」を有する襖の下地を選択する第４の工程を具備することを特徴とする請求項７または請求項８に記載の間口の寸法測定方法。
【請求項１０】
算出された下地の加工寸法を電子データとして加工装置に伝送することを特徴とする請求項８に記載の間口の寸法測定方法。
【請求項１１】
算出された下地の加工寸法および／または選択した襖の下地をプリンタ等で出力することを特徴とする請求項８または請求項９の何れかに記載の間口の寸法測定方法。
【発明の詳細な説明】
【技術分野】
【０００１】
この発明は、主として、襖の新作を行う際や、襖の嵌め込みに際して、敷居、鴨居、左右の柱で囲まれ間口に適合するように、襖の寸法を割り出すために利用する間口の寸法測定装置に関する。
【背景技術】
【０００２】
従来より、間口に襖を新作して嵌め込む際に、表記された間口の寸法と実寸法が一致しているとは限らないので、施工に際して、予め間口の実寸法を測定し、その測定結果に基づいて間口の形状に合わせて襖を加工していた。
【０００３】
間口の実寸法の測定は、図１７に示すように、敷居の総幅ａと、両柱の高さｂおよびｆと、両柱の傾き（「コケ量」と呼ばれている）ｇ、ｈ、ｉ、ｊ、ｋ、ｌと、襖の境界毎の高さｃ、ｄ、ｅとを厘（０.３mm）の単位まで測定していた。
【０００４】
間口における両柱の傾きｇ、ｈ、ｉ、ｊ、ｋ、ｌを測定する際には、図１８に示すように、敷居の端部に四隅が直角の基準襖Ｆを立てて、巻尺や物差しを用いて、敷居の総幅ａ、両柱の高さｂ、ｆおよび両柱の傾き（「コケ量」と呼ばれている）ｇ、ｈ、ｉ、ｊ、ｋ、ｌ、襖の境界毎の高さｃ、ｄ、ｅを厘（０.３mm）の単位まで測定していた。
【０００５】
間口の実寸法の測定と類似したトンネル抗内の実寸法を測定する装置が、下記特許文献などにより従来より提案されている。しかし、トンネル抗には、角部がなく、精度を厘（０.３mm）の単位まで必要としないので、間口の実寸法の測定に適用することはできない。
【特許文献１】特開２０００−３０４５３１号公報
【特許文献２】特開２００４−１１７１９４号公報
【発明の開示】
【発明が解決しようとする課題】
【０００６】
このように間口の実寸法の測定は、従来より手作業で行っており、経験と熟練を要し、多くの時間と労力を費やす作業であり、長さを正確に測定できても、柱の傾きや鴨居の傾斜・撓みをも正確に測定することは困難であった。
【０００７】
そこで、経験や熟練を要することなく、誰でも短時間に間口の実寸法を正確に測定できる測定手段、および嵌め込む襖の寸法を出力する装置を提供するために考えられたものである。
【課題を解決するための手段】
【０００８】
この発明の間口の寸法測定装置は、立設した柱を有する架台と、この架台の柱に取り付けられる寸法測定装置本体とを具備し、この寸法測定装置本体は、上記柱に取り付けられる基台と、この基台に水平方向に植設された軸に回動自在に設けられた回転台と、この回転台上に載置され、上記基台に対する回転台の回動角度を検出する角度検出手段と、上記回転台に載置され、上記基台から間口の測定点まで長さを検出する長さ検出手段と、検出した角度データおよび長さデータを対応させて極座標で格納する記憶手段とを具備するものである。
【０００９】
この発明の間口の寸法測定方法は、設置された寸法測定装置本体を中心とする間口の複数の測定点の方向および距離を極座標データとして収集する第１の工程と、収集した上記極座標データのうち、敷居の一端に対応するデータを原点として敷居の両端を結ぶ線分に対応するデータをＸ軸上に合わせる回転によりＸ−Ｙ座標に座標変換を行う第２の工程とよりなる方法である。
【発明の効果】
【００１０】
この発明の部屋の寸法測定装置は、持ち運びが容易であり、経験や熟練を要することなく、誰でも短時間に間口の寸法および柱の傾きや鴨居の傾斜・撓みなどの形状を手間をかけずに正確に測定できる。
【００１１】
特に、回転台の指向方向（ワイヤーの真の引出方向）にレーザ光線を放射して、そのレーザ光線を回動させてワイヤーの先端に結合した探触子の光センサへ入射させることにより、手間をかけずに、測定誤差の著しく少ない正確な角度データを得ることができる。
【発明を実施するための最良の形態】
【００１２】
（第１の実施形態）
図１〜図３に示すように、この発明の間口寸法測定装置は、高さを調整できる３本の脚22および敷居の溝に嵌め込む間隔をあけて配置された２つの突起23および立設された柱21を有する架台２を備え、この架台２に立設された柱21に寸法測定装置本体1が着脱自在に取り付けられる。さらに、架台２の下側に設けた２つの突起23を結ぶ直線上に、上向きにレーザービームを放射するレーザーポインタ24が固定されている。なお、柱21は架台２に対して取り外しできるように構成してもよいのである。
【００１３】
図４の側面図および図５の要部の斜視図に示すように、寸法測定装置本体１は、垂直に配置され、柱21に着脱自在に取り付けられる基台26と、この基台26に水平方向に植設された固定軸27にベアリング29を介して回動自在に設けられた回転台３とを備え、基台26には、軸27と同心状に歯車28が固定されており、回転台３には、歯車28と噛み合って回転台３自体をいずれの方向にも回転させ得るモータ31と、回転台３の回転角度を検出するインクリメンタル形のロータリ・エンコーダ32と、引き出されたワイヤーまたはテープ38の長さを検出するインクリメンタル形のリニア・エンコーダ33と、回転台３の指向方向（ワイヤーまたはテープ38の真の引出方向）に可視レーザ光線を放射するレーザ光源34と、信号処理回路を組み込んだ回路基板50と、探触子４（図６参照）から放射される光線を受光する光センサ35と、これらの装置全体を動作させる蓄電池36などが取り付けられている。
【００１４】
さらに、寸法測定装置本体１には、装置の動作状態や、収集したデータを表示する表示器37が設けられ、装置の動作を操作するリモコンＲが付属されている。
【００１５】
ロータリ・エンコーダ32は、その回転部分が基台26に設けた固定軸27に結合され、その本体が回転台３に固定されており、回転台３を回転させたときに、一定角度回転するごとに２相のパルス信号を発生する。
【００１６】
また、リニア・エンコーダ33は、スプリングによってワイヤー38を巻き込んでおり、このワイヤー38を引き出したり引っ込めたりすると、ワイヤー38が一定距離移動するごとに２相のパルス信号を発生する。このワイヤー38は、ロータリ・エンコーダ32の基準方向から引き出されるように滑車39、39によって中心に導かれている。
【００１７】
このワイヤー38の先端には、応答手段を備えた探触子４が結合されている。この探触子４は、図６（ａ）の斜視図に示すように、先鋭な先端部41を有し、後端が開口された形状のもので、先端近傍を軸として回動するクランク42が取り付けられ、このクランク42にワイヤー38が結合されており、応答手段は、クランク42に設けられたレーザ光線を受光するフォト・トランジスタ等の光センサ43と、この光センサ43でレーザ光線を受光したときに、受光方向へ赤外線を再放射するＬＥＤ44とを備えている。なお、この探触子４にリモコンの機能を具備させておくと、リモコンを紛失することを回避できる。
【００１８】
この探触子４の先端近傍を軸として回動するクランク42を介してワイヤー38を結合し、このクランク42に光センサ43を設けておくと、探触子４を測定点に合わせる際に、ワイヤー38に対する探触子４の指向方向が傾いていても、光センサ43が常にワイヤー38の方向に指向しているので正確にデータを収集することができる。
【００１９】
この探触子４の先端には、敷居の溝に嵌める突起45が設けられており、敷居部分を測定する際には、図６（ｂ）に示すように、突起45の先端が溝の底面に接触するように構成されている。また、鴨居部分を測定する際には、図６（ｃ）に示すように、鴨居の表面に接触させて、敷居の溝の底面、鴨居の表面、両柱の内面で囲まれた面を、襖を嵌め込む間口として測定する。
【００２０】
信号処理回路５は、図７に示すように、操作スイッチおよび表示器37と、装置全体を制御するＣＰＵ54と、ロータリ・エンコーダ32から発生する２相のパルスを計数する第１のアップ・ダウン・カウンタ55と、リニア・エンコーダ33から発生する２相のパルスを計数する第２のアップ・ダウン・カウンタ56と、これら２つのカウンタ55、56の計数値、光センサ35の出力をＣＰＵ54に入力し、モータ31を制御するするモーター制御回路53と、処理プログラムを格納したＲＯＭ51と、データを一時的に格納するＲＡＭ52と、外部の装置とデータの交換を行うためのＳＩＯ57などで構成されている。
【００２１】
次に、このように構成された第１の実施形態の装置により間口の寸法を測定する手順を説明する。
【００２２】
まず、図８（ａ）の正面図に示すように、間口のほぼ中央に架台２を設置して、図８（ｂ）の平面図に示すように、架台２の２つの突起23を敷居の溝に嵌め込み、ワイヤー38の引き出し口が下向きになるように、柱21に寸法測定装置本体１を取り付ける。そして、レーザーポインタ24を動作させてレーザービームを放射させながら、レーザービームが鴨居の溝の中心を照射するように、３本の脚22の高さを調整する。
【００２３】
そして、リモコン装置Ｒを操作して、「間口の基準サイズ」、「間口の大きさ（枚立）」、「溝数」、「開閉種類」などの測定に必要な条件を入力して「初期設定」する。このとき、「現場名」、「部屋番号」、「襖の種類」などのデータを同時に入力しておくことができる。
【００２４】
この入力された初期設定条件により、測定点数は、通常の４枚の襖を嵌め込む間口の測定であれば、図９に「１」〜「１２」で示すように、敷居と柱が交叉する４カ所、敷居の３カ所、鴨居の３カ所、左右の柱の中間の２カ所に設定される。この初期設定において、２つのアップ・ダウン・カウンタ55、56の計数値は零にクリアされる。
【００２５】
リニア・エンコーダ33からワイヤー38を引き出して、探触子４の先端部45を最初の測定点である左下隅部「１」に合わせたのち、リモコン装置Ｒの操作によりモータ31を制御して回転台３を右回りに低速度で回転させる。
【００２６】
そして、回転台３のレーザ光源34ら放射されたレーザービームが、探触子４を横切ったときに、レーザービームが応答装置の光センサ43へ入射するので、入射した瞬間にＬＥＤ44より赤外線を入射方向に再放射させる。
【００２７】
このようにして、探触子４の応答装置のＬＥＤ44より赤外線を再放射されるまでの期間中に、回転台３においては、ロータリ・エンコーダ32から発生する２相のパルスをアップ・ダウン・カウンタ55で計数し続け、また、リニア・エンコーダ33から発生する２相のパルスをアップ・ダウン・カウンタ56で計数し続けている。
【００２８】
そして、応答装置のＬＥＤ44より再放射された赤外線を回転台３の光センサ35で受光した瞬間に、アップ・ダウン・カウンタ55、56の各計数値を、それぞれ最初の測定点「１」の角度データおよび長さデータとしてＲＡＭ52に格納する。
【００２９】
次に、探触子４の先端部45を右隣の２番目の測定点である左柱の中間「２」に合わせて待機していると、回転台１が回動し続けて、レーザ光線が探触子４を横切って応答装置の光センサ43へ入射した瞬間にＬＥＤ44より赤外線を入射方向に再放射させる。回転台３においては、２度目の再放射された赤外線を回転台３の光センサ35で受光した瞬間に、アップ・ダウン・カウンタ55、56の各計数値を、それぞれ２番目の測定点「２」の角度データおよび長さデータとしてＲＡＭ52に格納する。
【００３０】
同様に、探触子４の先端部45を右回隣の測定点「３」〜「１２」に順次に合わせて、各測定点ごとの角度データおよび長さデータをＲＡＭ52に格納する。このようにして、初期設定した条件の測定点数のデータを間口面の極座標データとしてＲＡＭ52に格納し終わると、このＲＡＭ52に格納されている極座標データをＸ−Ｙ座標に座標変換して１つの間口の測定が完了する。
【００３１】
このような操作を測定すべき各間口において実行し、各間口のデータをＲＡＭ52に収集する。
【００３２】
ＲＡＭ52に格納されているデータは、寸法測定装置本体１が設置した場所を中心とする極座標データであって、図１０に示すように、各辺Ｌ１〜Ｌnの大きさと、２辺に挟まれた挟角θ２〜θn(ただし、ｎは測定点数)であるから、対辺の長さＳi（ただし、ｉ＝２以上の整数）は、
Ｓi＝｛Ｌ１２＋Ｌi２−２Ｌ１・Ｌi・ｃｏｓθi｝１／２
により求めることができ、
また、Ｌ１、ＬiおよびＳiにより作られる３角形におけるＬ１とＳiとの未知の挟角φiは、
ｃｏｓφi＝（Ｌ１２＋Ｓi２−Ｌi２）／(２Ｌ１・Ｓi)
より、
φi＝ｃｏｓ−１｛(Ｌ１２＋Ｓi２−Ｌi２)／(２Ｌ１・Ｓi)｝
により求めることができる。このようにして、間口の実際の形状を測定することができる。
【００３３】
図１１（ａ）に示すように、収集した極座標データのうち、測定点「１」と測定点「９」を結ぶ線分が敷居であって、ほぼ水平であることが予め分かっているので、図１１（ｂ）に示すように、測定点「１」を原点に合わせたのち、図１１（ｃ）に示すように、測定点「１」を中心にして極座標データを回転させて、測定点「９」をＸ軸上に合わせる。
【００３４】
そして、図１１（ｄ）に示すように、線分「１−９」を間口の総幅とし、鴨居の左側隅／右側隅のＹ座標を間口の左側高さ／右側高さとする。この間口の総幅を、襖の枚数（図１１（ｄ）に示す場合は２枚）で除して嵌め込む各襖の幅とし、測定した間口の形状および寸法に基づいて嵌め込む各襖の形状および加工寸法を出力する。
【００３５】
専門メーカーから販売されている襖の下地として「和襖の下地（細い角材を格子状に組み合わせた骨組）」、「段ボール製下地」、「発砲スチロール製下地」などがあり、最も多く使用されている「和襖の下地」は、周囲を裁断して所望の寸法に加工するための「裁断しろ」が少ないので、各種の定型サイズ（５分きざみ）の「和襖の下地」が販売されている。
【００３６】
販売されている定型サイズの「和襖の下地」の各寸法を予めテーブルに格納しておき、テーブルに格納されたデータの中から、測定した間口の寸法に合わせて、「和襖の下地」を選択し、選択した下地に対する加工寸法を出力しなければならない。なお、この加工寸法には、下地の周囲に縁を取り付けるので、その縁の幅を考慮した寸法を出力しなければならない。
【００３７】
例えば、和襖においては、左側の柱が傾いている（コケている）場合には、図１２（ａ）に斜線で下地を示すように、和襖の下地の左側の角材は裁断しろが小さいので底辺に当たる角材を裁断し、同様に、右側の柱が傾いている（コケている）場合には、図１２（ｂ）に斜線で下地を示すように、和襖の下地の右側の角材は裁断しろが小さいので、底辺に当たる角材を裁断するように、和襖の下地の選択および加工寸法を出力する。
【００３８】
図１３（ａ）に示すように、例えば、左柱が途中で屈曲している場合には、斜め部分を裁断し、図１３（ｂ）に示すように、右柱が途中で屈曲している場合には、斜め部分を裁断するような指示を出力する。
【００３９】
これらの和襖の下地の選択および加工寸法の出力は、プリンタにより出力してもよく、また、加工寸法は電子データとして加工装置に伝送してもよいのである。
【００４０】
（第２の実施形態）
第１の実施形態においては、寸法測定装置本体１の回転中心から測定点までの長さを検出する手段として、引き出されるワイヤーまたはテープ17の先端に探触子４を取り付けて、探触子４を測定点に合わせて引き出されたワイヤーまたはテープ17の長さを検出している。
【００４１】
このような長さ測定手段としてレーザー距離計を使用することができる。レーザー距離計として、スイスのライカ ジオシステムズ社製のモジュール「ＤＩＳＴＯ  ｐｒｏ4ａ」を組み込んだ株式会社村上技研産業より販売されている「レーザー距離センサ  ＬＤＳ−１」を使用することができる。このレーザー距離計は、出力データとして、目標物までの距離を示す「距離データ」と、受光した反射光線の強度を示す「反射強度データ」などがあり、コマンドにより何れか一つのデータを出力させるモードを選択することができる。
【００４２】
レーザー距離計から照射されるレーザー・ビームの指向方向（角度に対応）は、第１の実施形態と同様に、ロータリ・エンコーダ32から出力されたパルスを計数した計数値により収集することができる。そして、この収集した「角度データ」は、「距離データ」とともにＲＡＭ52に格納される。
【００４３】
レーザー距離計においては、照射されるレーザー・ビームに、ある程度の拡がりがあるので、隅部の角度および隅部までの距離を正確に測定することは困難である。しかし、間口の形状は、２本の柱と敷居／鴨居の直線部分が交叉する４つの隅部で形成されており、そこで、図１4に示すように、隅部ｓを挟む２直線上の２点ｘ1、ｘ2およびｙ1、ｙ2の位置をそれぞれ求めて、各２点を結ぶ２直線が交叉する位置を仮想的な隅部とすればよいのである。
【００４４】
（第３の実施形態）
第１の実施形態においては、予め間口の角部を、「１」、「３」、「７」、「９」と定めて測定を行っているが、測定点数を決めないで測定することも可能である。
【００４５】
第２の実施形態においては、図１５示すように、測定した隣接する２つの線分がなす角度を調べて、その角度が、例えば直角を含む１３５度以内（α2）であれば角部に当たると判定し、１３５度以上であれば鴨居、敷居、柱などのほぼ直線部分（α1）（α3）に当たると判定する。
【００４６】
このように、４つの角部を自動的に判定することにより、測定開始点を予め決めておくだけで、各角部間の測定点および測定点の数を、直線部分の曲がりや撓みの状態に応じて任意に選ぶことができる。
【００４７】
（第４の実施形態）
第１の実施形態においては、高さを調整できる３本の脚22および敷居の溝に嵌め込む２つの突起23および立設された柱21を有する架台２を備え、さらに、架台２の下側に設けた２つの突起23を結ぶ線の直上に、上向きにレーザービームを放射するレーザーポインタ24を固定している。
【００４８】
第３の実施形態においては、図１６示すように、敷居の溝に嵌め込む間隔をあけて配置された突起23を有する架台２と、この架台２に立設された伸縮可能な柱と備えている。柱は、架台２に立設された筒部材25と、この筒部材25の中を摺動する棒部材26と、筒部材25の中にあって棒部材26を押し上げるように作用するコイル・スプリングとにより構成され、棒部材26の先端には、鴨居の溝に嵌め込む突起27が設けられている。
【００４９】
間口の測定を行う際には、コイル・スプリングの弾力に抗して棒部材26を筒部材25の中に押し込み、間口のほぼ中央に敷居の溝に架台２の２つの突起23を嵌め込み、棒部材26を伸長させて先端の突起27を鴨居の溝に嵌め込む。
【００５０】
そして、柱の筒部材26に寸法測定装置本体１を着脱自在に取り付けて、第１または第２の実施形態と同様に間口の測定を行う。
【００５１】
（その他の実施の形態）
以上の実施の形態においては、敷居、鴨居、左右の柱で囲まれた間口の形状および寸法の測定を例にあげて説明したが、トンネル坑内の測定や、部屋を間仕切りする際に行う部屋の断面形状の測定にも適用することができる。
【図面の簡単な説明】
【００５２】
【図１】この発明の間口の寸法測定装置の第１の実施形態を示す正面図、
【図２】図１に示す装置の側面図、
【図３】図１に示す装置の平面図、
【図４】図１に示す装置で使用する寸法測定装置本体を示す側面図、
【図５】図１に示す装置で使用する寸法測定装置本体を分解して示した斜視図、
【図６】図１に示す装置におけるワイヤーの先端に結合する探触子の斜視図（ａ）、探触子により敷居部を測定する際に敷居に当接させる状態を示す図（ｂ）、探触子により鴨居部を測定する際に鴨居に当接させる状態を示す図（ｃ）
【図７】図１に示す装置の信号処理回路を示すブロック図、
【図８】寸法測定装置を設置する状態を示す正面図（ａ）、側面図（ｂ）、
【図９】図１に示す装置によって間口のデータを収集する状況を示す正面図、
【図１０】２辺の長さと挟角より１辺の長さを得る手法を説明する図、
【図１１】極座標で収集した図形データをＸ−Ｙ座標データに変換する手法を説明する図、
【図１２】間口の柱が傾いている場合における襖の下地を合わせる手法を説明する図、
【図１３】間口の柱が曲がっている場合における襖の下地を合わせる手法を説明する図、
【図１４】この発明の間口の寸法測定装置の第２の実施形態によって間口のデータを収集する状況を示す図、
【図１５】この発明の間口の寸法測定装置の第３の実施形態によって間口のデータを収集する状況を示す図、
【図１６】この発明の間口の寸法測定装置の第４の実施形態を示す正面図、
【図１７】従来の間口の実寸法を測定する手法を説明する図、
【図１８】従来の柱の傾きを測定する手法を説明する図である。
【符号の説明】
【００５３】
１  寸法測定装置本体
２  架台
３  回転台
４  探触子
５  信号処理回路
21  柱
22  脚
23  突起
24  レーザーポインタ
26  基台
31  モータ
32  ロータリ・エンコーダ
33  リニア・エンコーダ
34  レーザ光源
35  可視レーザ光線
36  蓄電池
37  光センサ
38  表示器
39  ワイヤーまたはテープ
42  クランク
43  光センサ
44  ＬＥＤ
50  回路基板
53  モーター制御回路
54  ＣＰＵ
55、56  アップ・ダウン・カウンタ
Ｒ  リモコン
【図１】
2006038602.tif 000003
【図２】
2006038602.tif 000004
【図３】
2006038602.tif 000005
【図４】
2006038602.tif 000006
【図５】
2006038602.tif 000007
【図６】
2006038602.tif 000008
【図７】
2006038602.tif 000009
【図８】
2006038602.tif 000010
【図９】
2006038602.tif 000011
【図１０】
2006038602.tif 000012
【図１１】
2006038602.tif 000013
【図１２】
2006038602.tif 000014
【図１３】
2006038602.tif 000015
【図１４】
2006038602.tif 000016
【図１５】
2006038602.tif 000017
【図１６】
2006038602.tif 000018
【図１７】
2006038602.tif 000019
【図１８】
2006038602.tif 000020